(57)【要約】【課題】  過去に撮影記憶された撮影画像とその撮影条件を検索して読み出し、それを元に現在の撮影を行うことが可能な撮影支援システムの実現を課題とする。【解決手段】  撮影機能を持つカメラ撮影部２０を備えた携帯電話端末１０に、過去の撮影画像とその撮影条件からなる撮影情報を対応付けて撮影履歴データベース３１に記憶すると共に、その撮影情報を撮影履歴活用部３２によって検索可能にする撮影状況分析エンジン３０を備え、この撮影状況分析エンジン３０を用いて過去の撮影データの撮影条件に基づく新たな撮影を可能にする。【選択図】  図１
2010041527.tif 000002
【特許請求の範囲】
【請求項１】
デジタルカメラ機能を有する携帯電話端末での撮影支援方法であって、
撮影支援を選択する撮影支援選択工程と、
必要に応じて撮影条件中の特定条件を指定する撮影条件指定工程と、
過去の撮影画像とその撮影条件とからなる撮影情報を検索して表示する検索表示工程と、
現在の被写体位置を修正して表示された前記過去の撮影画像と現在の被写体画像とを一致させるための補助動作を行う被写体位置修正工程と、
撮影を実行し撮影画像とその撮影条件とを記憶させる撮影実行工程とを備えることを特徴とする撮影支援方法。
【請求項２】
カメラ撮影部を有する携帯電話端末に、過去の撮影画像とその撮影条件からなる撮影情報を記憶し、前記撮影情報を検索可能にする撮影状況分析手段を備え、
この撮影状況分析手段を用いて過去の撮影情報の撮影条件に基づく撮影を可能にすることを特徴とする撮影支援システム。
【請求項３】
前記撮影状況分析手段は、
過去の撮影画像とその撮影条件を撮影情報として記憶する撮影履歴データベースと、
撮影時に撮影条件を抽出して前記撮影履歴データベースに記憶する撮影情報記憶機能と、撮影状況に応じた撮影条件を前記撮影履歴データベースに記憶された撮影情報から検索して表示し、あるいは自動設定する撮影情報検索機能とを備えた撮影履歴活用部と、
撮影時の条件に応じて撮影条件の検索を行うかどうかを判定し、検索を行う場合はその方法を設定する撮影ルールを記憶する撮影ルールデータベースと、
撮影条件の変化に応じて前記撮影ルールデータベースから対応する撮影ルールを読み出して、前記履歴活用部へ撮影条件を保持させたり、設定させたり、表示させて利用者にアドバイスするよう指示する撮影行動制御部とを備えることを特徴とする請求項２に記載の撮影支援システム。
【請求項４】
前記履歴活用部の前記撮影情報検索機能に対して、利用者が条件を設定し、その条件に応じたある特徴を重み付けして撮影情報を検索可能とすることを特徴とする請求項３に記載の撮影支援システム。
【請求項５】
前記カメラ撮影部は、
被写体を撮影して記憶する撮影・画像記憶機能部と、
指定された撮影距離とズーム量を設定する撮影条件設定機能部と、
撮影対象の被写体画面から顔数検出、笑顔度レベル検出、顔サイズ検出から成る人物撮影条件を前記撮影状況分析手段と共同して実行する人物撮影条件検出機能部と、
撮影対象の被写体画面から撮影シーンを分類するシーン分類機能部とを備えることを特徴とする請求項２乃至４のいずれか一に記載の撮影支援システム。
【請求項６】
デジタルカメラ機能を有する携帯電話端末で実行される撮影支援プログラムであって、前記携帯電話端末に、
撮影支援を選択する撮影支援選択工程と、
必要に応じて撮影条件中の特定条件を指定する撮影条件指定工程と、
過去の撮影画像とその撮影条件とからなる撮影情報を検索して表示する検索表示工程と、
現在の被写体位置を修正して表示された前記過去の撮影画像と現在の被写体画像とを一致させるための補助動作を行う被写体位置修正工程と、
撮影を実行し撮影画像とその撮影条件とを記憶させる撮影実行工程とを実行させることを特徴とするプログラム。
【発明の詳細な説明】
【技術分野】
【０００１】
本発明は、本発明は、カメラによる撮影支援システムに関し、特に、カメラ機能付き携帯電話端末のカメラによる撮影の支援システムに関する。
【背景技術】
【０００２】
過去に行った撮影と同様の撮影条件でカメラ撮影を行なうシステムを提供する例として、過去にいくつかの報告がなされている。
たとえば、ユーザが使用した画像の撮影機種、処理時間を含む撮影情報を記憶しておき同条件の撮影画像が入力されたとき保存されている処理パターン群から適切な処理手順を選択することで作業時間を短縮する例が報告されている（特許文献１参照）。ただし、この例はあくまで画像データの処理方法であって撮影条件の制御ではない。
【０００３】
また、撮影状況に関した撮影情報を撮影装置に配布するサーバを設け、デジタルカメラの取り扱いに精通していない利用者でもその条件下で優れた画像を撮影できるようにした例が報告されている（特許文献２参照）。ただし、この例は撮影装置がインターネットを介してサーバに接続される場合を想定したものである。
さらに、過去の画像処理の履歴を蓄積したパソコンから電子カメラに、撮影条件の代表補正値をフイードバックして好みの画像処理を施した画像を記録するようにした例（特許文献３参照）、記憶された類似の撮影条件の平均値から最適設定を求め、撮影装置の設定の前後の撮影映像の状態変化から利用者に最適設定を学習させる例（特許文献４参照）などが報告されている。しかしこれらは、いずれもパソコンなどの外部機器を必要とし、撮影時に直ちに対応できるものではない。
【０００４】
また、顔検出情報と撮影条件によって同一条件であるかどうかを判定し、同一条件の場合は測距動作を短縮してレリーズタイムラグを短縮した例（特許文献５参照）がある。ただし、この例はあくまで同一シーンの連続撮影の場合に限って用いられるものである。
さらにまた、電子カメラのシステムコントローラに利用者の撮影実績に基づいた撮影条件を保存し、この撮影条件に基づいて個人感覚にあった撮影を実現する例（特許文献６参照）が報告されている。ただし、この例の電子カメラは、モード設定ダイヤルなどを備えた特殊なものであって、携帯電話端末ではない。
【０００５】
上記した公報に記載された従来例は、撮影時における処理時間の削減や処理手順を変更したり、サーバや有線を介して同様の撮影条件でカメラ撮影を可能にするシステムを提供している。
しかし、上述したように、これらの従来技術にはサーバ連携を必要としたり、外部機器を必要としたりし、携帯電話端末を用いるものでも、オフラインの時に使用することができないという問題があった。
その他、背景として、一般の利用者がカメラ撮影を行なう時に条件が統一されていない事が多く、同じシーンの写真でも画質の補正処理や人物撮影画像の人物の大きさなどが様々であったり、撮影条件を設定するのに手間がかかるという問題があった。
【０００６】
【特許文献１】特開２００７−２１９７２８号公報
【特許文献２】特開２００７−０３６７１６号公報
【特許文献３】特開２００２−２６２１７４号公報
【特許文献４】特開２００２−２０９１４０号公報
【特許文献５】特開２００６−２０８５５８号公報
【特許文献６】特開２００１−１８６４０６号公報
【発明の開示】
【発明が解決しようとする課題】
【０００７】
本発明は、以上の問題点を解決するため、過去に撮影記憶された撮影画像とその撮影条件を記憶し必要に応じて検索して読み出し、それを元に現在の撮影を行うことが可能な撮影支援システムを実現することを課題とする。
【課題を解決するための手段】
【０００８】
上記課題を解決するため、本発明にかかる撮影支援方法は、デジタルカメラ機能を有する携帯電話端末での撮影支援方法であって、撮影支援を選択する撮影支援選択工程と、必要に応じて撮影条件中の特定条件を指定する撮影条件指定工程と、過去の撮影画像とその撮影条件とからなる撮影情報を検索して表示する検索表示工程と、現在の被写体位置を修正して表示された前記過去の撮影画像と現在の被写体画像とを一致させるための補助動作を行う被写体位置修正工程と、撮影を実行し撮影画像とその撮影条件とを記憶させる撮影実行工程とを備えることを特徴としている。
【０００９】
撮影支援選択工程では、撮影支援を行うか否かを選択する。撮影条件指定工程では、必要に応じて撮影条件中の特定条件を指定する。検索表示工程では、過去の撮影画像とその撮影条件とからなる撮影情報を検索して表示する。被写体位置修正工程では、現在の被写体位置を修正して表示された前記過去の撮影画像と現在の被写体画像とを一致させるための補助動作を行う。撮影実行工程では、撮影を実行し撮影画像とその撮影条件とを記憶させる。
【００１０】
また、上記課題を解決するため、本発明にかかる撮影支援システムは、カメラ撮影部を有する携帯電話端末に、過去の撮影画像とその撮影条件からなる撮影情報を記憶し、前記撮影情報を検索可能にする撮影状況分析手段を備え、この撮影状況分析手段を用いて過去の撮影情報の撮影条件に基づく撮影を可能にすることを特徴としている。
カメラ撮影部を有する携帯電話端末に、過去の撮影画像とその撮影条件からなる撮影情報を記憶し、前記撮影情報を検索可能にする撮影状況分析手段を備え、この撮影状況分析手段を用いて過去の撮影情報の撮影条件に基づく撮影を可能にする。
【００１１】
さらに、上記課題を解決するため、本発明にかかる撮影支援プログラムは、デジタルカメラ機能を有する携帯電話端末に含まれるコンピュータで実行される撮影支援プログラムであって、前記携帯電話端末に、撮影支援を選択する撮影支援選択工程と、必要に応じて撮影条件中の特定条件を指定する撮影条件指定工程と、過去の撮影画像とその撮影条件とからなる撮影情報を検索して表示する検索表示工程と、現在の被写体位置を修正して表示された前記過去の撮影画像と現在の被写体画像とを一致させるための補助動作を行う被写体位置修正工程と、撮影を実行し撮影画像とその撮影条件とを記憶させる撮影実行工程とを実行させることを特徴としている。
【００１２】
デジタルカメラ機能を有する携帯電話端末に含まれるコンピュータはプログラムを実行することにより、前記携帯電話端末に、撮影支援を選択する撮影支援選択工程と、必要に応じて撮影条件中の特定条件を指定する撮影条件指定工程と、過去の撮影画像とその撮影条件とからなる撮影情報を検索して表示する検索表示工程と、現在の被写体位置を修正して表示された前記過去の撮影画像と現在の被写体画像とを一致させるための補助動作を行う被写体位置修正工程と、撮影を実行し撮影画像とその撮影条件とを記憶させる撮影実行工程とを実行させる。
【発明の効果】
【００１３】
本発明は以上のように構成され機能するので、過去に撮影記憶された撮影画像とその撮影条件を検索して読み出し、それを元に現在の撮影を行うことが可能な撮影支援システム、撮影支援方法および撮影支援プログラムを提供することができる。
これにより、初心者であっても、簡単に過去と同条件での撮影が可能になる。このとき、過去の撮影条件を忘れてしまっても容易に再現することができる。また、時間を置いて時系列の変化を表す撮影が可能になる。
【発明を実施するための最良の形態】
【００１４】
次に、発明を実施するための最良の形態について図面を参照して詳細に説明する。
図１は、本発明の実施の形態に係る携帯電話端末からなる撮影支援システムの構成を示すブロック図である。
携帯電話端末１０は、電話機能、メール機能、インターネット（Ｗｏｒｌｄ  Ｗｉｄｅ  ｗｅｂ）接続機能、その他の端末の有する機能や各部や各部の制御を行う制御部（ＣＰＵ）１１と、文字、記号や画像を表示する表示部１２と、端末自身を操作するテンキー、スクロールキー、決定キーおよびファンクションキーからなる操作部１３と、図示しない基地局を介してネットワークに接続され通信を行う無線通信部１４と、送話手段（マイクロフォン）と受話手段（スピーカ）およびこれらを経由する音声信号を変復調処理する音声信号処理部１５と、電話帳情報、送受信メール情報、発着呼情報やコンテンツ、アプリケーションプログラム、携帯無線端末の諸設定を格納する記憶部１６と、撮像と撮像映像の記憶を行うカメラ撮影部２０と、撮影状況分析エンジン３０とを備えて構成されている。
【００１５】
カメラ撮影部２０は、操作部１３からの利用者の操作に応じてカメラ撮影を実行する部分であって、撮影距離とズーム量から成る合焦撮影条件を設定する撮影条件設定機能２１と、人物撮影において顔の数、人物の笑顔度レベル、撮影される顔のサイズから成る人物撮影条件の検出を撮影状況分析エンジン３０と共同して実行する人物撮影条件検出機能２２、撮影映像を、風景、人物（ポートレート）、パーティ、接写、スポーツ、夜景、トワイライト、料理、水中などの撮影シーンに分類するシーン分類機能２３および画像を撮影し当該画像を記憶させる撮影画像記憶機能２４を備えている。
これらの機能により、撮影条件を自動的に設定して撮影を可能にしたり、手動で設定された合焦撮影条件、人物撮影条件、撮影シーン等を検出して、撮影を実行し、撮影した画像データとこれらの撮影条件データを撮影状況分析エンジン３０に渡して記憶させることができる。
【００１６】
また、撮影状況分析エンジン３０は、過去の撮影画像とその撮影条件を撮影情報として記憶する撮影履歴データベース３１と、撮影時に撮影条件を抽出して撮影履歴データベース３１に記憶させる撮影情報記憶機能と、撮影状況に応じた撮影条件を前記撮影履歴データベース３１に記憶された前記撮影情報から検索して表示し、あるいは自動設定する撮影情報検索機能を備えた撮影履歴活用部３２と、撮影時の条件に応じて撮影条件の検索を行うかどうかを判定し、検索を行う場合はその方法を設定する撮影ルールを記憶する撮影ルールデータベース３３と、撮影時の日時情報や、撮影対象中の顔情報などの条件変化に応じて撮影ルールデータベース３３から対応する撮影ルールを読み出して、撮影履歴活用部３２へ撮影条件を保持させたり、設定させたり、表示させて利用者にアドバイスするよう指示する撮影行動制御部３４とを備える。
撮影状況分析エンジン３０は、ＣＰＵ、記憶部及び前記ＣＰＵが実行するプログラムによって構成することができる。本実施の形態では、前記ＣＰＵが記憶部１６に記憶したプログラムを実行することによって、後述するような処理を行う。
【００１７】
撮影履歴データベース３１は、撮影時にカメラ撮影部２０と共同して撮影条件設定機能２１で設定された撮影距離やズーム量から成る合焦条件と、人物撮影条件検出機能２２で撮影映像から検出された人物の顔の数、笑顔度レベル、顔の検出サイズから成る人物撮影条件と、シーン分類機能で撮影画像を分類したシーン分類とから成る撮影条件を、条件の種類に応じて撮影履歴活用部３２で重み付けして、撮影された映像と対にして一緒に記憶しておく。
【００１８】
撮影履歴活用部３２は、カメラ撮影部２０と共同して、撮影時にその撮影条件の特徴を抽出する機能と、撮影行動制御部３４から指示された所定の検索要求などの行動要求に応じて特定の撮影条件の撮影情報を読み出す機能を備える。
撮影条件特徴抽出機能では、画像の構成、撮影季節や日時、撮影距離、撮影シーン、人物撮影であれば顔の数や検出位置、縦横のピクセル数で表す顔のサイズ、笑顔度などを元に特に特徴的なものには重み付けを行って撮影条件として撮影画像とともに撮影情報として撮影履歴データベース３１に記憶させる。
【００１９】
撮影情報読出機能では、撮影行動制御部３４からの指示に従って、撮影履歴データベース３１から、過去の撮影日時や顔検出の条件などを元に、重み付けを考慮して、その場の撮影にふさわしい撮影条件の撮影情報を読み出し、撮影条件や必要によっては過去の撮影画像も表示して、利用者にフイードバックやアドバイスを行い、あるいは過去の撮影条件を設定したりする。
【００２０】
撮影ルールデータベース３３は、撮影の支援となる分析、検索を実行するための撮影ルールを記憶し、撮影時の条件や利用者の指示に応じて、撮影条件の分析、検索を行うかどうかを判定し、分析、検索を行う場合は、撮影履歴データベース３１から撮影条件を読み出したり分析順序を指定したりする撮影ルールを読み出して活用する。
撮影行動制御部３４は、新たに撮影に入る場合など撮影時の日時、時刻が変わる場合や、撮影対象や撮影シーンが変化する場合、人物撮影対象中の顔情報などの条件変化に応じて撮影ルールデータベース３３から対応する撮影ルールを読み出す。そうして、この撮影ルールに従って撮影履歴活用部３２へ、撮影条件を保持させたり、設定させたり、表示させて利用者にアドバイスさせるように指示する。
【００２１】
図２は、本実施形態でのシステムの処理動作の流れを示すフローチャートであり、主に、撮影状況分析エンジン３０が記憶部１６に記憶したプログラムを実行することによって行う処理を示している。
詳細は後述するが、前記プログラムは、デジタルカメラ機能を有する携帯電話端末に内蔵されたコンピュータによって実行される撮影支援プログラムであって、撮影支援を選択する撮影支援選択プログラムと、必要に応じて撮影条件中の特定条件を指定する撮影条件指定プログラムと、過去の撮影画像とその撮影条件とからなる撮影情報を検索して表示する検索表示プログラムと、現在の被写体位置を修正して表示された前記過去の撮影画像と現在の被写体画像とを一致させるための補助動作を行う被写体位置修正プログラムと、撮影を実行し撮影画像とその撮影条件とを記憶させる撮影実行プログラムとを備えている。
【００２２】
以下、本実施形態の動作を図１及び図２のフローチャートに沿って説明する。
今、例えば利用者が本実施形態のカメラ付き携帯電話端末１０で撮影対象の人物を撮影するとする。
ステップＳ１０１で撮影がオート撮影モードなどで気軽に撮影を行う特に条件を気にする必要の無いフリーの撮影かどうかを判定する（撮影支援選択工程）。フリーの撮影の場合は、システムを起動することなく、  ステップＳ１１０に進んでオート撮影モードで撮影を行い、撮影映像をステップＳ１１１で記憶して終了する。
利用者が、この人物を以前撮影した写真と同じ位置で撮影して、同じこの人物の変化、成長記録、記念撮影にしたいと考えた場合、ステップＳ１０２で、システムを起動して、過去の撮影履歴を用いることにする。
【００２３】
本実施形態のカメラ付き携帯電話端末１０では、撮影時に撮影状況分析エンジン３０の撮影履歴活用部３２でカメラ撮影部２０の人物撮影条件検出機能２２と共同してその撮影の撮影条件の特徴を重み付けして撮影画像とともに撮影履歴データベース３１とに記憶してある。
抽出する特徴としては、被写体が人物の場合、
１）検出した人物の顔数、顔の大きさ、笑顔度
２）カメラから被写体までの撮影距離、自動合焦データ、ズーム量データ
３）シーン分類機能２３での撮影モードの分類結果（この場合、人物）
である。
【００２４】
例えば、利用者は過去、Ｘ年１月に家族の記念撮影をしたとする。
このとき、撮影状況分析エンジン３０の撮影履歴活用部３２で、撮影条件として、撮影モード「人物」、季節「１月」、顔検出数「４」、顔検出サイズ「４０×４０ピクセル」、顔ＩＤ（各顔に固有の識別コード：例えば各人を識別するための氏名のような機能を果たすコード）「１〜４」、笑顔度「９０点」、撮影距離「５ｍ」などがカウントされて、撮影画像「ｐｈｏｔｏ００１．ｊｐｇ」とともに撮影履歴データベース３１に記憶されている。
【００２５】
利用者が、昨年に続いて、Ｘ＋１年１月に同じメンバーの家族の記念撮影を行うとする。
利用者は、カメラ付き携帯電話端末１０のカメラ撮影部２０を起動し、起動中に現在の画面によって４人の顔検出設定を行う（ステップＳ１０３：撮影条件指定工程）。
すると、撮影履歴活用部３２が、カメラを起動した「１月」と顔検出数「４」という条件にそう撮影情報を撮影履歴データベース３１から検索して、それらの条件に一致する撮影画像「ｐｈｏｔｏ００１．ｊｐｇ」を読み出し、カメラ付き携帯電話端末１０の表示部１２に表示し、「この画像と同様の撮影設定で撮影を行いますか？」とその上に文字を重ねて利用者に推薦する（ステップＳ１０４：検索表示工程）。
【００２６】
このとき、撮影条件の各条件項目に重み付けをしておき、各条件項目に付与された重みを考慮して各条件項目毎に比較し、各条件項目の比較結果を総合的に判定して撮影条件が近似するものを検索して抽出する。これにより、撮影条件が完全に一致するものがない場合でも、重み付けを考慮して各条件項目の比較結果を総合的に判定して、撮影条件が近似するものを検索して抽出するころができる。
ここで現在の画面を用いる代わりに必要とする条件を入力するようにしてもよい。
【００２７】
利用者は推薦を受け入れると（ステップＳ１０５）、撮影画像「ｐｈｏｔｏ００１．ｊｐｇ」を撮影したときの撮影位置から被写体までの撮影距離、４人の顔検出位置、顔検出サイズの枠が撮影画面上に点線で表示され、それぞれの枠毎に顔ＩＤと笑顔度も記載される。また、現在の顔検出枠が実線で表示され、点線と実線が重ね合わさるように利用者にアドバイスがなされる。利用者はアドバイスを受け、利用者自身が撮影位置を移動したり、被写体であるメンバーへ移動してもらうように指示する（ステップＳ１０６：被写体位置修正工程）。
【００２８】
ここで点線枠と実線枠が重なり、各顔検出枠での笑顔度が所定値（例えば「９０点」）に達した時にシャッターが自動的に降りる事で、前回と同様の条件でのカメラ撮影が可能となり、撮影が実行される（ステップＳ１０８：撮影実行工程）。
このようにすることにより、利用者はカメラ撮影部２０を手動で設定する手間を省くことができ、過去のカメラ撮影履歴をもとに同じ条件でカメラ撮影を撮り続け、定期的（時系列的）に同じ雰囲気で且つ変化が分かる様な写真撮影を行うことができる。
撮影した画像とその撮影条件は、対応付けて撮影履歴データベース３１に記憶される（ステップＳ１０９）。
【００２９】
ステップＳ１０２で過去の撮影履歴を用いないとした場合や、ステップＳ１０５で検索された撮影履歴を用いないとした場合は、ステップＳ１０７で撮影条件を独自に設定してステップＳ１０８に進んで撮影を行う。ステップＳ１０５で検索された撮影履歴が好ましく無い場合、いくつかの撮影条件を再設定して再度、条件にそう撮影情報を撮影履歴データベース３１から検索するようにしてもよい。
【００３０】
以上述べたように本実施の形態によれば、撮影機能を持つカメラ撮影部２０を備えた携帯電話端末１０に、過去の撮影画像とその撮影条件からなる撮影情報を対応付けて撮影履歴データベース３１に記憶すると共に、その撮影情報を撮影履歴活用部３２によって検索可能にする撮影状況分析エンジン３０を備え、この撮影状況分析エンジン３０を用いて過去の撮影データの撮影条件と同様の条件に基づく新たな撮影を可能にしている。
【００３１】
したがって、過去に撮影記憶された撮影画像とその撮影条件を検索して読み出し、それを元に現在の撮影を行うことが可能な撮影支援システム、撮影支援方法および撮影支援プログラムを提供することが可能になる。これにより、初心者であっても、簡単に過去と同条件での撮影が可能になる。このとき、過去の撮影条件を忘れてしまっても容易に再現することができる。また、時間を置いて時系列の変化を表す撮影が可能になる。
【００３２】
本発明は前記した実施の形態に限定されるものではなく、以下のような構成によることも可能である。
以上の説明では、本システムの処理動作の各工程を本実施形態のカメラ付き携帯電話端末１０を構成する各要素によって実行するように説明したが、携帯電話端末１０の制御部１１に設けられたＣＰＵを用いて各工程をソフトウェアによって実施するようにすることができる。このようにしても、本発明の機能は同様に実現することができ、同様の効果が得られる。
また、以上の説明では、人物撮影の場合を例に説明したが、過去と同じ場所の風景や、建築物などの時間経過を同様に撮影することも可能である。
さらに、撮影情報を、外部のサーバや外部記憶媒体に移して記憶させ、必要に応じてこれらの外部装置から携帯電話端末内部にデータを入出力させることも可能である。
【産業上の利用可能性】
【００３３】
携帯電話端末を用いて過去から未来への時間的変化に対応した撮影が可能になり、情報通信機器の分野、電子カメラ分野などで広範な利用が考えられる。
【図面の簡単な説明】
【００３４】
【図１】本発明の撮影支援システムの構成を示すブロック図である。
【図２】本発明の撮影支援システムの動作を説明したフローチャートである。
【符号の説明】
【００３５】
１０  携帯電話端末
１１  制御部
１２  表示部
１３  操作部
１４  無線通信部
１５  音声信号処理部
１６  記憶部
２０  カメラ撮影部
２１  撮影条件設定機能
２２  人物撮影条件検出機能
２３  シーン分類機能
２４  撮影画像記憶機能
３０  撮影状況分析エンジン
３１  撮影履歴データベース
３２  撮影履歴活用部
３３  撮影ルールデータベース
３４  撮影行動制御部
【図１】
2010041527.tif 000003
【図２】
2010041527.tif 000004